(57)【要約】【課題】光色の異なる光源からの光を混色させて発光面に生じる色ムラを抑制する。【解決手段】照明装置１は、光を反射する反射シート３を有する本体シャーシ２ａと、色の異なる複数の発光素子を有する光源３２と、光源３２からの光を反射シート３に向けて出射するレンズ３３と、反射シート３で反射した光を透過するリングカバー９を備え、レンズ３３は、光出射面の少なくとも一部の領域にシボ加工３３ｋ１が形成されている。【選択図】図６
2014017182.tif 000002
【特許請求の範囲】
【請求項１】
光を反射する反射面を有する本体部と、
色の異なる複数の発光素子を有する光源と、
前記光源からの光を前記反射面に向けて出射するレンズと、
前記反射面で反射した光を透過するカバーを備える照明装置であって、
前記レンズは、光出射面の少なくとも一部の領域に第１光散乱部が形成されていることを特徴とする照明装置。
【請求項２】
前記レンズは、前記第１光散乱部が、前記光出射面の前記反射面側の領域に形成されていることを特徴とする請求項１に記載の照明装置。
【請求項３】
前記レンズは、前記光源を周状に囲むように設けられていることを特徴とする請求項１または２に記載の照明装置。
【請求項４】
前記レンズは、前記カバー側の表面に第２光散乱部が形成されていることを特徴とする請求項１から３のいずれか１項に記載の照明装置。
【請求項５】
前記レンズは、複数の棒状のレンズで形成されていることを特徴とする請求項４に記載の照明装置。
【請求項６】
前記棒状のレンズは、前記第２光散乱部が長手方向の両端部に形成されていることを特徴とする請求項５に記載の照明装置。
【発明の詳細な説明】
【技術分野】
【０００１】
本発明は、色の異なる複数の光源と、光源からの光を反射面に向けて出射するレンズを備える照明装置に関するものである。
【背景技術】
【０００２】
従来、発光ダイオード（ＬＥＤ；Ｌｉｇｈｔ Ｅｍｉｔｔｉｎｇ Ｄｉｏｄｅ）等の半導体発光素子からなる光源と、光源から出射される光を屈折させるためのレンズとを備えた照明装置が用いられている。
【０００３】
例えば、特許文献１には、光源となる発光ダイオードと、発光ダイオードの光出射方向に対向して配置された長尺なコリメータレンズにより、光を反射体に照射し、全体として輝度ムラを低減し器具効率を向上させた照明器具が開示されている。
【先行技術文献】
【特許文献】
【０００４】
【特許文献１】特開２００８−３００２０３号公報
【発明の概要】
【発明が解決しようとする課題】
【０００５】
しかしながら、発光ダイオードは、通常、青色ＬＥＤと黄色蛍光体を組み合わせて青色光と黄色光の混色による白色を作り出すため、レンズと組み合わせた場合に、青色光と黄色光が分離して発光面であるカバーに色ムラが発生する場合がある。また、例えば電球色と昼光色等の、色温度や色の異なる複数種類の発光ダイオードからなる光源からの光を組み合わせて所定の色の光を出射する場合、レンズによる分光が生じ各光源からの光が混色せずにカバーに色ムラが発生する場合がある。
【０００６】
本発明は、上記の問題に鑑みてなされたものであり、色の異なる光源からの光を混色させて発光面に生じる色ムラを抑制することのできる照明装置を提供することを目的とする。
【課題を解決するための手段】
【０００７】
本発明に係る照明装置は、光を反射する反射面を有する本体部と、色の異なる複数の発光素子を有する光源と、前記光源からの光を前記反射面に向けて出射するレンズと、前記反射面で反射した光を透過するカバーを備える照明装置であって、前記レンズは、光出射面の少なくとも一部の領域に第１光散乱部が形成されていることを特徴とする。
【０００８】
本発明にあっては、例えばシボ加工等の第１光散乱部をレンズの光出射面の少なくとも一部の領域に施すことで、光源からの光を散乱して出射することで混色させて反射面に入射させることができ、これにより発光面を形成するカバーにおける色ムラを抑制することが可能となる。
【０００９】
また、本発明に係る照明装置は、前記レンズは、前記第１光散乱部が、前記光出射面の前記反射面側の領域に形成されていることを特徴とする。
【００１０】
本発明にあっては、第１光散乱部を光出射面の反射面側の領域に形成することで、反射面のレンズから離れた領域に向けて出射される光量の低下を防ぎながら反射面における特にレンズに近い側の領域に入射された光による発光面の色ムラの低下を抑制することができる。
【００１１】
また、本発明に係る照明装置は、前記レンズは、前記光源を周状に囲むように設けられていることを特徴とする。
【００１２】
本発明にあっては、光源を周状に囲むように設けられたレンズとレンズの間の対向領域に生じる色ムラを抑制することが可能となる。
【００１３】
また、本発明に係る照明装置は、前記レンズは、前記カバー側の表面に第２光散乱部が形成されていることを特徴とする
本発明にあっては、レンズのカバー側の表面に第２光散乱部が形成されてある。これにより、レンズのカバー側の表面から漏れてカバーに向かって出射される光を拡散することにより、カバーに輝度ムラが生じることを防止することができる。
【００１４】
また、本発明に係る照明装置は、複数の棒状のレンズで形成されていることを特徴とする。
【００１５】
本発明にあっては、隣接する複数の棒状のレンズのカバー側の表面から漏れる光を第２光散乱部により拡散することでカバーに輝度ムラが生じることを防止することができる。
【００１６】
また、本発明に係る照明装置は、前記棒状のレンズは、前記第２光散乱部が長手方向の両端部に形成されていることを特徴とする。
【００１７】
本発明にあっては、棒状のレンズの長手方向の両端部に第２光散乱部を形成することで、隣接するレンズの端面から出射される筋状の輝線を拡散して、輝線がカバーに投影されて外観を損なうことを防止することができる。
【発明の効果】
【００１８】
以上のように、本発明によれば、色の異なる光源からの光を混色させて発光面に生じる色ムラを抑制することができる。
【図面の簡単な説明】
【００１９】
【図１】本発明の第１の実施形態にかかる照明装置の外観を示す正面図および側面図である。
【図２】（ａ）は図１に示したＡ−Ａ断面の断面図であり、（ｂ）は（ａ）に示したＢ部の拡大図である。
【図３】図１に示した照明装置の分解斜視図である。
【図４】図１に示した照明装置に備えられる光源ユニットから出射される光の照明装置内における進行方向を模式的に示した説明図である。
【図５】（ａ）は本体シャーシおよび光源ユニットの構成を示す説明図である。（ｂ）は（ａ）に示したＦ部の拡大図である。（ｃ）は光源ユニットの取付方法を示す説明図である。
【図６】図１に示した照明装置に備えられるレンズの構成を示す説明図である。
【図７】図１に示した照明装置に備えられる光源基板の構成を示す平面図である。
【図８】本発明の第２の実施形態にかかる照明装置が備えるレンズを入射面側から見た斜視図である。
【発明を実施するための形態】
【００２０】
（第１の実施形態）
本発明の第１の実施形態について説明する。なお、本実施形態では、一例として、家屋等の天井に取り付けられるシーリングライトに適用する場合について説明するが、本発明の適用対象はこれに限るものではない。
【００２１】
図１は本実施形態にかかる照明装置１の外観を示す床面側から見た正面図および側面図である。また、図２（ａ）は照明装置１における図１に示したＡ−Ａ断面の断面図であり、図２（ｂ）は図２（ａ）に示したＢ部の拡大図である。また、図３は照明装置１の分解斜視図である。
【００２２】
これらの図に示したように、照明装置１は、シャーシ２、反射シート３、電源ユニット４、電源カバー５、アダプタ６、アダプタカバー７、防塵カバー８、リングカバー９、およびセンターカバー１０、光源ユニット３０を備えている。
【００２３】
本実施形態に係る照明装置１は、シャーシ２の中央部に取り付けられた光源ユニット３０から、反射シート３の略面方向に沿ってシャーシ２の外縁部側に向けて光を出射させ、反射シート３で反射した光がリングカバー９を照射することにより、発光面としてのリングカバー９から部屋の床等の被照射面へ照明光が出射される。
【００２４】
シャーシ２は、照明装置１に備えられる各部を支持するための例えばアルミニウムあるいは鉄等の金属材料からなる部材であり、本体部としての本体シャーシ２ａおよび底面シャーシ２ｂからなる。なお、本体シャーシ２ａの形状および材質は上記した構成に限るものではなく、照明装置１の各部を支持するための十分な強度を有していれば樹脂製材料やセラミックス等であってもよい。ただし、本体シャーシ２ａは、後述する光源ユニット３０で生じた熱を外部に放散させるために熱伝導性が高い材質であることが好ましい。
【００２５】
図３の分解斜視図に示すように、本体シャーシ２ａの中央部には、照明装置１からの照明光の出射方向側、つまりリングカバー９側の面である表面側から反対側の裏面側に貫通する本体開口部２ｃが設けられており、この本体開口部２ｃの周囲には本体シャーシ２ａの内縁部をリングカバー９側に折り曲げた折り曲げ部２０ａによって６個の光源ユニット支持部２０が設けられている。すなわち、光源ユニット支持部２０は本体シャーシ２ａの一部を折り曲げることによって本体シャーシ２ａと一体的に形成されている。
【００２６】
また、各光源ユニット支持部２０は略同一の形状からなり、かつ、上記の折り曲げ部２０ａが本体シャーシ２ａの外縁によって形成される円の中心を通る放射線と略直交するように上記中心に対して点対称に設けられている。これにより、各光源ユニット支持部２０は、床面側から見たときに略正六角形を成すように上記本体開口部２ｃの周囲、すなわち本体シャーシ２ａの中央部に配置されている。また、本体シャーシ２ａは、リングカバー９側、つまり照明光の出射方向側の表面に、後述する反射シート３を有する。
【００２７】
なお、本実施形態では、６個の光源ユニット支持部２０を六角形状に配置してあるが、光源ユニット支持部２０の数および配置方法はこれに限るものではない。例えば、光源ユニット支持部２０を、四角形状、八角形状、あるいは他の多角形状に配置し、後述する光源３２を本体シャーシ２ａの周方向に沿って周状に配置をなすように各光源ユニット支持部２０に設ける構成としてもよい。なお、光源ユニット支持部２０のさらに具体的な説明については後述する。
【００２８】
また、照明装置１の本体部としての本体シャーシ２ａは、図４に示す断面図のように、略円環形状の板状部材を外周側に向かうほど表面がリングカバー９側に近づくように表面に段差部２ａ３が設けられている。上記段差部２ａ３は、本体シャーシ２ａの全周にわたって設けられている。
【００２９】
より具体的には、本体シャーシ２ａは、上記表面に対して直交する方向の位置が、折り曲げ部２０ａの上記直交方向の位置と略同一である内周部２ａ１を第１面とし、上記直交方向の位置が内周部２ａ１よりもリングカバー９側に位置する外周部２ａ２を第２面として有している。本体シャーシ２ａの中央部の領域である内周部２ａ１と、本体シャーシ２ａにおける内周部２ａ１よりも外周側の領域である外周部２ａ２の間の間は段差部２ａ３により連結されている。上記内周部２ａ１、外周部２ａ２、および段差部２ａ３の形成方法としてはプレス加工が好適に用いられるが、これに限らず、成型や切削等の他の方法により形成してもよい。
【００３０】
図４に示すように、本体シャーシ２ａにおいて、各光源ユニット支持部２０によって囲まれる本体開口部２ｃには、電源ユニット４、電源カバー５の一部、アダプタ６、アダプタカバー７、および防塵カバー８の一部が配置されている。
【００３１】
図３に示す電源カバー５は、中央部に設けられた、アダプタ取付部６ａ，６ｂの外径形状に応じた形状を有する開口部５ａと、当該開口部５ａの周囲に設けられた、センターカバー１０側に窪んでおり、天井側が開口した形状からなる電源収容部５ｂと、電源収容部５ｂの周囲に設けられた天井面に対して略平行な鍔部５ｃとを備えている。これにより、電源カバー５は、電源収容部５ｂ内に電源ユニット４を収容して電源ユニット４を保護するようになっている。なお、電源収容部５ｂの外周部は６個の光源ユニット支持部２０の内側、換言すると本体シャーシ２ａの外縁がなす円の中心側に収容可能な形状になっている。
【００３２】
図３に示す電源ユニット４は、照明装置１の外部から供給される電力を受電して照明装置１の各部に供給するための電源回路やユーザからの指示や各種センサの検出結果等に応じて各光源の発光状態を制御する制御回路などの回路基板を備えている。また、電源ユニット４のセンターカバー１０側には、例えば照明装置１の周囲の明るさを検知する光センサや照明装置１に対する指示を行うためのリモコン（図示せず）から送信される赤外線信号を受信するセンサなど各種センサが備えられたセンサユニット４０が取り付けられている。
【００３３】
図３に示す底面シャーシ２ｂは、アダプタ６の外径形状に応じた開口を有する略円板状の部材であり、本体シャーシ２ａとの間に電源カバー５の鍔部５ｃを挟持した状態で本体シャーシ２ａに取り付けられる。これにより、電源ユニット４およびセンサユニット４０が電源カバー５の電源収容部５ｂに収容されるとともに電源収容部５ｂの天井側に設けられた開口面が底面シャーシ２ｂによって閉塞されている。
【００３４】
アダプタ取付部６ａ，６ｂは、照明装置１を天井や壁面等の被設置部に取り付ける際にアダプタ６を保持するとともに、シャーシ２や電源カバー５などの金属からなる部材のエッジを隠す役割を担っている。アダプタ６は、照明装置１を天井に取り付けるとともに、商用電源からの電力を電源ユニット４に供給するための部材である。
【００３５】
照明装置１を天井に取り付けた後、アダプタ取付部６ａの床面側にはアダプタ６やアダプタ取付部６ａ，６ｂが配置されている電源カバー５の開口部５ａを覆うようにアダプタカバー７が取り付けられる。
【００３６】
防塵カバー８は、光源ユニット３０に対して照明光の出射側、すなわち本体シャーシ２ａと反対側の位置に光源ユニット３０と対向するように配置される反射部８ａと、反射部８ａに対して照明装置１の内側に配置され、光源ユニット３０から出射されて反射部８ａで反射された光を透過する透過部８ｂとを備えている。なお、透過部８ｂは電源カバー５とセンターカバー１０とに密着した状態で保持されるようになっており、それによって埃や虫などが光源ユニット３０が備えられている空間に侵入することを防止している。
【００３７】
各光源ユニット３０は、図２に示すように、本体シャーシ２ａの照射方向側の表面に対して立設された各光源ユニット支持部２０における本体シャーシ２ａの外縁側の面である光源取付面２０ｂにそれぞれ取り付けられている。各光源ユニット３０は、光源基板３１、光源３２、およびレンズ３３からなり、光源３２からの光出射方向の中心軸方向である光軸方向が本体シャーシ２ａの表面に沿って本体シャーシ２ａの外周部２ａ２側を向くように光源ユニット支持部２０に取り付けられている。なお、本実施形態では、後述する光源Ｗ１〜Ｗ５、Ｃ１〜Ｃ４、Ｒ１〜Ｒ３、Ｎ１を総称して光源３２と称する。
【００３８】
すなわち、各光源ユニット３０は、光源３２の光軸方向が本体シャーシ２ａが有する反射シート３の面方向に沿った方向になるように光源ユニット支持部２０に取り付けられている。なお、反射シート３の面方向とは、反射シート３の表面に概ね平行な方向を意味しており、必ずしも厳密に反射シート３の表面に平行である必要はなく、反射シート３の表面と交差する方向も含まれる。以上のようにして、光源３２は本体シャーシ２ａの中央部に取り付けられる。
【００３９】
このように、光源ユニット３０からの出射光が照明装置１の中央部から外周部２ａ２側に向かって出射される構成にすることにより、照明装置１の側方から天井部を明るく照らすことができ、室内をより明るく感じさせることができる。
【００４０】
また、光源ユニット３０の配置位置および光出射方向は上記の方向に限るものではなく、例えば光源ユニット３０を照明装置１の外周部に配置して、光源３２からの出射光の光軸方向が照明装置１の中央側を向くようにしてもよい。光源ユニット３０のさらに具体的な説明は、後述する。
【００４１】
レンズ３３は、光源基板３１に備えられる光源３２から出射される光を屈折させて所定の方向に出射させるためのものである。つまり、レンズ３３は、光源３２から出射された光の配光を制御するためのものである。本実施形態では、光源３２を構成する複数のＬＥＤが光源基板３１上で本体シャーシ２ａの表面に沿った方向に複数並設されており、レンズ３３はこの光源３２の並設方向に沿って延伸した棒状の形状を有している。光源３２を備える光源基板３１はそれぞれ本体シャーシ２ａに周状に配置された光源ユニット支持部２０に取り付けられ、レンズ３３は、各光源３２に対向した位置に配置されて光源ユニット支持部２０に取り付けられる。これにより、複数のレンズ３３は光源３２を周状に囲むように設けられる。
【００４２】
レンズ３３の材質は特に限定されるものではないが、例えば、透明なアクリル樹脂やポリカーボネート樹脂などからなるレンズを用いることができる。なお、詳細は後述するが、レンズ３３は、光源３２から入射した光を主に反射面としての反射シート３に向けて出射させる光学特性を有しており、より具体的には、主として反射シート３の外周部に集光する集光レンズである。レンズ３３により、反射シート３で反射した光によってリングカバー９の略全域に略均等な照度分布の発光面を形成できるようになっている。
【００４３】
図４は、光源ユニット３０から出射される光の照明装置１内における進行方向を模式的に示した説明図である。この図に示すように、光源３２から出射された光は光源３２に対向配置されたレンズ３３に入射し、その大部分はレンズ３３で屈折されて本体シャーシ２ａの反射面に取り付けられた反射シート３に向けて出射される。そして、反射シート３に到達した光は反射シート３で反射されてリングカバー９に入射し、リングカバー９を透過して照明装置１の外部に出射される。レンズ３３のさらに具体的な説明については、後述する。
【００４４】
図１および図３に示す、照明装置１の照明光を出射するカバーとしてのリングカバー９は、中央部に円形の開口を有するリング形状のカバーであり、反射シート３が形成する反射面に対向して設けられる。リングカバー９は、光源ユニット３０から出射され、反射シート３で反射された光を拡散および透過させて照明装置１の外部に照明光として出射する。なお、図１（ｂ）の正面図に示す、リングカバー９の照明光の出射側から見た平面視における外形は本体シャーシ２ａの外形に応じた形状を有しており、リングカバー９の周縁部は図示しないガスケットを介して本体シャーシ２ａの周縁部に取り付けられている。これにより、リングカバー９と本体シャーシ２ａとの間の領域が照明装置１の外部から気密されている。
【００４５】
リングカバー９の材質は光透過性を有するものであれば特に限定されるものではなく、例えば従来から公知の材質を用いることができる。本実施形態では、乳白色の光拡散性を有するアクリル樹脂からなるリングカバー９を用いたが、これに限らず、例えばポリカーボネート樹脂等であってもよい。また、本発明のカバーはリングカバー９のようなリング形状に限らず、上記開口がない円盤形状であってもよいし、多角形状等その他の形状であってもよく、特に限定されない。また、リングカバー９と後述するセンターカバー１０とは一体的に形成されていてもよい。
【００４６】
センターカバー１０は、遮光性を有するリング状の遮光部１０ａと、リングカバー９を構成する材料と同様の材料からなる光透過性および光拡散性を有する円板状部材からなる円板部１０ｂとを備えており、リングカバー９の中央部に設けられた開口を覆うように取り付けられる。なお、センターカバー１０はリングカバー９と密着して取り付けられており、照明装置１におけるセンターカバー１０およびリングカバー９の内部の空間は照明装置１の外部の空間から気密されている。
【００４７】
遮光部１０ａの材質は、遮光性を有する材質であれば特に限定されるものではないが、例えば、光を透過しない樹脂製のリング部材や、アルミニウムや鉄などの金属製のリング部材を用いることができる。また、遮光部１０ａにおけるセンサユニット４０に備えられる光センサに対応する位置には上記光センサに照明装置１の外部から入射する光を導くための穴部（図示せず）が設けられている。
【００４８】
反射面としての反射シート３は、光源ユニット３０から出射される光を反射するためのシート状の部材であり、例えばＰＥＴ（ｐｏｌｙｅｔｈｙｌｅｎｅ ｔｅｒｅｐｈｔｈａｌａｔｅ）やＰＰ（ｐｏｌｙｐｒｏｐｙｌｅｎｅ）等に硫酸バリウムもしくは酸化チタンを混ぜ合わせた材料、樹脂に微細な気泡を形成した材料、金属板に銀を蒸着した材料、または金属板に酸化チタン等を含む塗料を塗布した材料からなる。
【００４９】
反射シート３は、本体シャーシ２ａの外周部２ａ２から内周部２ａ１の端部である折り曲げ部２０ａまでの領域を覆うように本体シャーシ２ａのリングカバー９側の表面に全体的に取り付けられることで、光源３２から出射された光を反射してリングカバー９側に出射する反射面を形成する。
【００５０】
また、本実施形態では、図４に示すように、本体シャーシ２ａは、略円環形状の板状部材の表面に、外周側に向かうほどリングカバー９側に近づくように段差を設けた形状を有している。換言すると、本体シャーシ２ａは、光源３２から光源３２の光出射方向側に離隔した位置に段差部２ａ３を有しており、この段差部２ａ３により、段差部２ａ３に対して光源３２から遠い側の領域である外周部２ａ２が段差部２ａ３に対して光源３２に近い側の領域である内周部２ａ１よりもリングカバー９側に近づけられている。つまり本体シャーシ２ａは、表面に対し垂直な方向において外周部２ａ２が内周部２ａ１よりもリングカバー９側に高い位置となっている。
【００５１】
反射シート３は、図４に示すように、反射シート３の取り付けられた状態において、反射シート３は、本体シャーシ２ａの外周部２ａ２側から折り曲げ部２０ａ側にかけて、光源３２側の端部が緩やかに本体シャーシ２ａ側に傾く方向に内周部２ａ１に対して傾斜した傾斜面を形成することができる。つまり、反射シート３は、光源３２が取り付けられる光源ユニット支持部２０の外周部２ａ２側の光源取付面２０ｂに略直交する光源３２の光軸方向に対して平行でなく、上記光軸と交差する方向に傾斜している。換言すると、反射シート３の外周部３ａがリングカバー９により近づく方向に、内周部２ａ１に対して傾斜するように取り付けられる。これにより、反射シート３は、外周部３ａが光源３２からの光を受けるように傾けて配置される。
【００５２】
これにより、光源３２からの光が反射シート３の外周部３ａまで届きやすくなり、反射シート３の内周部３ｂと比較して光が届きにくく暗くなりがちな外周部３ａに容易に集光させることが可能となる。したがって、反射シート３で反射した光をリングカバー９の外周部にまで十分に届かせることができるので、明るく、かつムラの少ない発光面を形成することが可能となる。
【００５３】
なお、本実施形態では、照明装置の反射面を形成するために本体シャーシ２ａに反射シート３を取り付けることで反射シート３を反射面とする例について説明するが、本発明における反射面の形成方法はこれに限らず、本体シャーシ２ａ自体を光反射性の材料で構成する方法や、本体シャーシ２ａに光を反射する塗料等を塗布することで形成してもよい。反射シート３により反射面を形成する場合、上述のように反射シート３が光源３２の光軸に対し傾斜した反射面とするため本体シャーシ２ａに段差部２ａ３を形成してあるが、本体シャーシ２ａに光反射性の塗料等を塗布して直接反射面を形成する場合は、本体シャーシ２ａに段差部を設けず、外周部に向かう程リングカバー９側に表面近づくような滑らかな傾斜面もしくは湾曲面となるように本体シャーシ２ａを形成することが好ましい。
【００５４】
図５（ａ）は本体シャーシ２ａ、および光源ユニット３０の構成を示す説明図である。また、図５（ｂ）は図５（ａ）に示したＦ部の拡大図である。また、図５（ｃ）は光源ユニット３０の取付方法を示す説明図である。なお、図５（ａ）では反射シート３については記載を省略している。以下、光源ユニット支持部２０および光源ユニット３０についてさらに具体的に説明する。
【００５５】
各光源ユニット支持部２０は、本体シャーシ２ａの表面からほぼ直角に立設した立設部２１と、立設部２１の先端の一部をさらに折り曲げて形成された先端部２２とを有している。立設部２１は、本体シャーシ２ａ側から先端部２２の方向に向かうほど幅が狭くなった台形形状を有している。また、先端部２２は、立設部２１から遠ざかるほど幅が狭くなった台形形状を有している。したがって、隣り合う各光源ユニット支持部２０同士の間は切り欠かれており、各光源ユニット支持部２０は隣り合う他の光源ユニット支持部２０との間に間隔を有し、互いに独立して本体シャーシ２ａの内縁部に立設している。なお、先端部２２は必須の構成ではないが、先端部２２により、光源ユニット支持部２０の曲げ強度を高めることができる。
【００５６】
本実施形態では、立設部２１における本体シャーシ２ａ側の面と本体シャーシ２ａにおける立設部２１側の面との成す角度が９０度よりも小さくなるように立設部２１を本体シャーシ２ａに対して折り曲げている。これにより、光源の光軸を本体シャーシ２ａの反射シート３側に向けることができるので、反射面を介さずにリングカバー９に直接する入射する光を低減することができ、リングカバー９の発光面に輝度ムラが生じることを抑制できる。ただし、立設部２１の本体シャーシ２ａに対する傾斜角度はこれに限るものではなく、各部の形状や要求される光学特性等に応じて適宜変更してもよい。
【００５７】
また、本実施形態では、本体シャーシ２ａの内縁部を折り曲げることによって光源ユニット支持部２０を形成しているが、これに限るものではない。例えば、光源ユニット支持部２０を本体シャーシ２ａとは別体に設けて本体シャーシ２ａに取り付けてもよく、本体シャーシ２ａの内縁部を絞り加工等によって立設させることで光源ユニット支持部２０を形成してもよく、成型加工または切削加工により光源ユニット支持部２０を形成してもよい。
【００５８】
図５（ｂ）および図５（ｃ）に示すように、光源ユニット３０は、一方向に延伸した形状を有する矩形状の光源基板３１および長尺のレンズ３３を備えており、レンズ３３が光源ユニット支持部２０との間に光源基板３１を挟んだ状態で光源ユニット支持部２０の立設部２１に装着されることにより光源ユニット支持部２０に保持されている。
【００５９】
図６は、レンズ３３の構成を示す説明図であり、リングカバー９側から見た上面図、光源３２の光出射方向側から見た正面図、シャーシ２ａ側から見た底面図、レンズ３３の長手方向から見た側面図、上記正面図に示したＨ−Ｈ断面およびＩ−Ｉ断面の断面図を含んでいる。
【００６０】
これら各図に示すように、レンズ３３は、光源ユニット支持部２０における２つの貫通穴２３・２３に対応する位置に設けられた２つの係止部５４・５４と、天井側面における本体シャーシ２ａの貫通穴２ｄ・２ｄに対応する位置に設けられた係止部５８・５８と、光源基板３１との対向面における立設部２１の貫通穴２４・２４に対応する位置に設けられた突部５９・５９とを備えている。また、光源基板３１における貫通穴２４・２４に対応する位置には貫通穴６０・６０が設けられている。係止部５４・５４は、後述のようにレンズ３３が有する導光部としても機能する。
【００６１】
各係止部５４は、レンズ３３の本体シャーシ２ａと反対側の面、換言するとレンズ３３のリングカバー９側の面である全反射面３３ｄに、当該全反射面３３ｄの長手方向に沿って部分的に設けられている。また、レンズ３３の本体から床側に突出するように形成された付根部５１と、付根部５１から光源ユニット支持部２０側に突出するように形成された延伸部５２と、延伸部５２の先端から天井側に突出するように形成された爪部５３とを備えている。
【００６２】
各係止部５８は、レンズ３３の本体から天井側に突出するように形成された付根部５５と、付根部５５における光源基板３１側の端部から光源基板３１とは反対側に延伸するように形成された板状の延伸部５６と、延伸部５６における天井側の面に形成された爪部５７とを備えている。爪部５７は、光源基板３１から遠ざかるほど天井側に傾斜した傾斜面５７ａと、傾斜面５７ａにおける光源基板３１から遠い側の端部と延伸部５６との間に傾斜面５７ａに対して鋭角を成すように形成された係止面５７ｂとを備えている。
【００６３】
各突部５９は、各係止部５４の付根部５１から光源基板３１側に突出するように形成されている。係止部５４の爪部５３が立設部２１の上端に係止した状態で、突部５９・５９が光源基板３１の貫通穴６０・６０および光源ユニット支持部２０の貫通穴２４・２４に挿入され、さらにレンズ３３の本体シャーシ２ａ側に設けられた係止部５８・５８の延伸部５６・５６が上下方向に撓んだ状態で係止部５８・５８の係止面５７ｂ・５７ｂが本体シャーシ２ａの貫通穴２ｄ・２ｄに引っ掛けられてレンズ３３および光源基板３１が光源ユニット支持部２０に支持される。なお、光源基板３１は、係止部５４の付根部５１および係止部５８の付根部５５によって光源ユニット支持部２０に押し付けられた状態で保持される。
【００６４】
また、本実施形態では、レンズ３３における床側の面に係止部５４・５４を設けることにより、レンズ３３に入射した光の一部をこれら係止部５４・５４から導光して出射させ、照明装置１の中心側の領域に導いている。すなわち、係止部５４・５４は、レンズ３３に入射した光を上記中心側の領域へ導くための導光部としての機能を有している。
【００６５】
より具体的には、係止部５４・５４から出射した光を防塵カバー８の反射部８ａで照明装置１の中央部側へ向けて反射・拡散され、透過部８ｂを介して各光源ユニット支持部２０よりも内側の領域に入射する。そして、各光源ユニット支持部２０よりも内側の領域に入射した光は、電源カバー５およびアダプタカバー７で反射・拡散され、センターカバー１０の円板部１０ｂを介して照明装置１の外部に出射される。これにより、上記中心側の領域に対向して設けられたセンターカバー１０を照射して、センターカバー１０を発光させることができる。
【００６６】
また、本実施形態では、光源ユニット３０を本体シャーシ２ａと一体的に形成された光源ユニット支持部２０に取り付けているが、これに限らず、本体シャーシ２ａとは異なる部材に取り付けられていてもよい。また、レンズ３３を係止部５４および係止部５８により光源ユニット支持部２０に取り付け、さらにレンズ３３と立設部２１の間に光源基板３１を挟持しているが、レンズ３３および光源基板３１の取付方法はこれに限らず、ねじやリベット等の取付部材を用いて取り付けてもよい。
【００６７】
図７は光源基板３１の平面図であり、図７に示すように、光源基板３１は、光源３２と、電気抵抗Ｒと接続端子ＷＷ−，ＷＷ＋，ＣＷ−，ＣＷ＋，Ｒｅｄ−，Ｒｅｄ＋，２つのＮｉｇｈｔ−，および２つのＮｉｇｈｔ＋を備えている。光源３２は色が異なる複数種類の発光素子である光源Ｗ１〜Ｗ６，Ｃ１〜Ｃ５，Ｒ１〜Ｒ３，Ｎ１を有する。光源Ｗ１〜Ｗ６は電球色のＬＥＤであり、光源Ｃ１〜Ｃ５は昼光色のＬＥＤであり、光源Ｒ１〜Ｒ３は赤色のＬＥＤである。また、光源Ｎ１は常夜灯として用いられる電球色のＬＥＤである。なお、光源３２を構成する発光素子は、ＬＥＤに限らず、ＥＬ（Ｅｌｅｃｔｒｏ Ｌｕｍｉｎｅｓｃｅｎｃｅ）等他の発光素子であってもよい。
【００６８】
光源Ｗ１〜Ｗ６，Ｃ１〜Ｃ５，Ｎ１は青色ＬＥＤからの青色光と蛍光体による励起光とを組み合わせることで擬似白色光を出射するＬＥＤであり、光源Ｒ１〜Ｒ３は単色光として赤色光を出射するＬＥＤである。なお、常夜灯用の光源Ｎ１は６枚の光源基板３１のうちの２枚にのみ備えられており、六角形状に配置された光源ユニット支持部２０に装着されたときに上記六角形の対向する辺に配置されるようになっている。なお、本実施形態では擬似白色光を出射する発光素子として電球色および昼光色のＬＥＤを例示したが、これに限らず昼白色の発光素子等他の擬似白色光を出射する発光素子を用いてもよい。また、単色光を出射する発光素子は赤色のＬＥＤに限らず、緑色や青色等他の単色光を出射する発光素子を用いてもよい。
【００６９】
図７に示すように、各光源基板３１において、光源３２を構成する複数種類のＬＥＤは、長手方向の左からＷ１，Ｃ１、Ｒ１，Ｗ２，Ｃ２，Ｗ３，Ｃ３，Ｒ２，Ｎ１，Ｗ４，Ｃ４，Ｗ５，Ｒ３，Ｃ５，Ｗ６の順に配置されている。本実施形態では、上記各色の光源の発光状態を制御することにより、リングカバー９を光源Ｃ１〜Ｃ５の色による昼光色、光源Ｗ１〜Ｗ６の光色による電球色、光源Ｃ１〜Ｃ５および／または光源Ｗ１〜Ｗ６と光源Ｒ１〜Ｒ３の色を混色させることによりオレンジピンク色、およびこれら複数の光源の調光率の比率を変化させることにより中間色に発光させることができるようになっている。
【００７０】
なお、本実施形態では、各光源基板３１に搭載する光源３２としてのＬＥＤの個数を、例えば昼光色６個、電球色５個、赤色３個、常夜灯用の電球色１個の合計１５個としているが、ＬＥＤの個数はこれに限るものではない。また、各ＬＥＤの配置位置や各ＬＥＤの出射光の色についても上述した構成に限るものではなく、照明装置１の各部のサイズや形状、要求される光学特性等に応じて適宜変更してもよい。
【００７１】
レンズ３３は、図６に示したように、光源３２に対向配置される光入射面３３ａ〜３３ｃと、光入射面３３ａ〜３３ｃからレンズ３３内に入射した光を全反射する全反射面３３ｄ，３３ｅと、光出射面３３ｆ〜３３ｈとを備えている、いわゆる集光レンズである。
【００７２】
光入射面３３ａ〜３３ｃは、光源３２側に凸となる曲面形状を有している。光入射面３３ａは、本体シャーシ２ａに略垂直な方向において、反射シート３側に位置し、光入射面３３ｃは、本体シャーシ２ａに略垂直な方向においてリングカバー９側に位置し、なお、本実施形態では、光源Ｗ１〜Ｗ５、Ｃ１〜Ｃ４、Ｒ１〜Ｒ３、Ｎ１を、光入射面３３ａ〜３３ｃのうち本体シャーシ２ａに垂直な方向の中央に位置する光入射面３３ｂにおけるレンズ３３の本体シャーシ２ａに垂直な方向の略中心部に対向する位置に配置している。
【００７３】
全反射面３３ｄ，３３ｅは、レンズ３３の外側に向かって凸となる曲面形状を有している。なお、本体シャーシ２ａに垂直な方向におけるリングカバー９側に位置する第２全反射面としての全反射面３３ｄと本体シャーシ２ａ側、つまり反射シート３側に位置する第１全反射面としての全反射面３３ｅとは、光源基板３１の基板面に垂直な直線に対して非対称な形状を有している。具体的には、全反射面３３ｄと全反射面３３ｅとは、これら各反射面がなす曲面の接線と基板面に垂直な直線とのなす角度が、全反射面３３ｄの方が全反射面３３ｅよりも小さくなっている。
【００７４】
図６のＨ−Ｈ断面図に示すように、レンズ３３の光出射面を、レンズ３３の長手方向に垂直な断面視における本体シャーシ２ａに略垂直な方向において、反射シート３）に近い側から光出射面３３ｈ，３３ｇ，３３ｆからなる３つの領域に区分して説明する。反射シート３側の光出射面３３ｆおよびリングカバー９側の光出射面３３ｈは、レンズ３３の内側に凹となる曲面形状を有している。また、本体シャーシ２ａに略垂直な方向の中央部に位置する光出射面３３ｇは、レンズ３３の外側に凸となる曲面形状を有している。光出射面３３ｆと光出射面３３ｇとの接続部、および光出射面３３ｇと光出射面３３ｈとの接続部は上記断面視において曲率が連続的に変化した滑らかな曲面になっている。なお、本発明における光出射面は、上記形状に限定されず、たとえば、上記断面視において全体的に光出射面がレンズ３３の外側に凸となる曲面形状であってもよい。
【００７５】
また、図６に示したように、レンズ３３の光入射面３３ａ〜３３ｃのうち常夜灯用の光源Ｎ１との対向領域を除く領域には、レンズ３３の長手方向に垂直な方向に沿って帯状に設けられた多数の凹凸部３３ｉが設けられている。凹凸部３３ｉにより、光源３２からの光をレンズ３３に入射する際にレンズ３３の長手方向に拡散して入射させ、レンズ３３内部で光源３２の色を混ぜることができる。これにより、各光源間の距離が離れていることに起因する色ムラを低減することができる。なお、凹凸部３３ｉは、光入射面の長手方向全体にわたって設けられていてもよく、光入射面に設けられていなくてもよい。
【００７６】
上記の構成により、光源３２から光入射面３３ａに入射した光は光入射面３３ａで屈折されて一部の光が全反射面３３ｄで全反射された後光出射面３３ｈに入射し、残りの光は直接光出射面３３ｆに入射する。また、光源３２から光入射面３３ｂに入射した光は光入射面３３ｂで屈折されて光出射面３３ｇに入射する。また、光源３２から光入射面３３ｃに入射した光は光入射面３３ｃで屈折されて、一部が全反射面３３ｅで全反射された後光出射面３３ｈに入射し、残りの光は直接光出射面３３ｈに入射する。
【００７７】
そして、光出射面３３ｆ〜３３ｈに入射したこれらの光は、図４に示したように、各光出射面で屈折されてレンズ３３から反射シート３へ向けて出射され、反射シート３で反射されてリングカバー９に入射する。より具体的には、レンズ３３は、光出射面３３ｆ〜３３ｈのうち、後述するシボ加工が施されている領域である反射シート３側の略半分の領域は、径方向においてレンズ３３からの距離が近い反射シート３の内周側の領域に光を出射し、照明光の出射方向側であるリングカバー９側の略半分の領域はレンズ３３からの距離が径方向に離れた反射シート３の外周側の領域に光を出射するように設計されている。これにより、リングカバー９の略全域に略均一な輝度の発光面を形成できるようになっている。
【００７８】
図６の正面図の斜線が描かれた部分および側面図の矢印で表された部分に示すように、本体シャーシ２ａに略垂直な方向における光出射面の反射シート３側の略半分の領域、つまり光出射面３３ｇの反射シート３側の略半分の領域および光出射面３３ｈの全面には、光入射面３３ａ〜３３ｃから入射した光を散乱あるいは拡散させて出射する第１光散乱部であるシボ加工３３ｋ１が施されている。
【００７９】
シボ加工３３ｋ１は、レンズ３３を成型する金型の表面に、上記したレンズ３３の光出射面の反射シート３側の略半分の領域に対応する個所に予めシボ状に荒らした面を形成し、レンズ３３の成型とともに光出射面に施すことができる。また、成型後のレンズ３３の光出射面の上記個所にブラスト処理を施すことや、エッチング処理や、サンドペーパーで表面を荒らすことで粗面加工を施すことでも光散乱部を形成することができる。
【００８０】
なお、レンズ３３の正面図および側面図の本体シャーシ２ａに略垂直な方向における光出射面のリングカバー９側の略半分の領域、つまり光出射面３３ｇのリングカバー９側の略半分の領域および光出射面３３ｆの全面には、上記シボ加工等による光散乱部が施されていない、もしくは上記光散乱部よりも光出射面の外表面粗さが滑らかな面である。また、シボ加工３３ｋ１が施される領域は上記個所に限らず、光出射面３３ｈの全面のみ、あるいは光出射面３３ｈの一部の領域のみに施すようにしてもよい。
【００８１】
本発明の照明装置１のように、擬似白色光を出射する光源Ｗ１〜Ｗ５、Ｃ１〜Ｃ４からの光をレンズ３３で配光制御して出射する場合、レンズ３３の光入射面と光出射面が厳密に平行でないとレンズ３３がプリズムとして作用し、出射される光は屈折率が異なる青色光と黄色光に分光して出射され、反射シート３の光が入射する領域に光色が異なる色分布が生じるため、結果的に発光面としてのリングカバー９に色ムラが生じる虞がある。
【００８２】
さらに、赤色の光を出射する光源Ｒ１〜３は、単色光を出射する光源であるため、複数色の光を予め混色して出射する他の光源Ｗ１〜Ｗ５およびＣ１〜Ｃ４に比較して色が均一に混ざりにくいという性質があり、また他の色の光源よりも設けられる個数が少ないため他の色の光と混色しにくい。さらにまた、光源基板３１上における光源３２を構成する各ＬＥＤ間の距離が長いことや、擬似白色光を出射する光源Ｗ１〜Ｗ５およびＣ１〜Ｃ４は、青色光と蛍光体からの励起光の光量の比率が光の出射角度に応じて差異があることによって、リングカバー９での色ムラが生じる虞もある。
【００８３】
上記種々の原因によるリングカバー９での色ムラは、レンズ３３からの距離が径方向に離れた反射シート３の外周側の領域よりも、レンズ３３からの距離が径方向に近い側、すなわち反射シート３の内周側の領域に入射した光に起因して顕著に表れる。これは、反射シート３の外周側の領域は光源３２からの距離が比較的遠いため、複数種類の光色の光がよりよく混ざった状態で反射シート３に入射し易いのに対し、レンズ３３からの距離が近い内周側の領域は光源３２からの色が異なる光が混ざり合うための距離が短いことが原因である。
【００８４】
本発明では、光散乱部としてのシボ加工３３ｋ１を本体シャーシ２ａに対し垂直方向における光出射面の反射シート３側の領域に施すことで、反射シート３の内周側の領域に光を出射する光出射面３３ｈ，３３ｇからの光を散乱させて出射することができる。これにより、各光源Ｗ１〜Ｗ５、Ｃ１〜Ｃ４、Ｒ１〜Ｒ３からの光を混色させて反射シート３の内周側の領域に入射させ、リングカバー９を略均一に混色された光で発光させることができ、発光面の色ムラを低減させることができる。すなわち、昼光色と電球色を混色させた例えば温白色、白色、昼白色等の光の色や、赤色と昼光色または電球色を混色させた例えばオレンジピンク色等の光の色で、リングカバー９に色ムラの少ない発光面を形成することが可能となる。
【００８５】
また、上記のように、シボ加工３３ｋ１を敢えて光出射面の全面ではなく反射シート３側の半分の領域に部分的に施すことにより、つまり反射シート３側の領域にのみシボ加工を施すことにより、シボ加工３３ｋ１でレンズ３３の光透過率が低下することによる光取出し光率の低下を抑制することができる。
【００８６】
さらに、光出射面の全面にシボ加工３３ｋ１を形成した場合、シボ加工３３ｋ１による光透過率の低下および光拡散作用により、光出射面３３ｇのリングカバー９側の略半分の領域および光出射面３３ｆから反射シート３の外周側の領域に向けて光を出射する光量が低減するため、上記外周側の領域が暗くなり、発光面が全体的に不均一な輝度になる虞があるが、光出射面のリングカバー９側の領域にはシボ加工を形成しないことで、当該領域からの出射光を拡散させずに反射シート３の外周側へ集光させて、十分な光量の光を反射シート３の外周側の領域にまで届けることができ、発光面の輝度ムラを抑制することができる。特に反射シート３の外周側の領域は光源３２からの距離が遠いので、光が届きにくく輝度が低下しがちであるため、光出射面における外周側の領域に向けて光を出射する領域には光散乱部を形成しないことが好ましい。
【００８７】
なお、本実の施形態においては、第１光散乱部としてのシボ加工３３ｋ１をレンズ３３の光出射面の反射シート３側の半分の領域に設ける例について説明したが、本発明においては、リングカバー９側の領域にシボ加工等の光散乱部を施してあってもよい。つまり、第１光散乱部は、光出射面の少なくとも１部の領域に設けられていればよい。ただし、リングカバー９側の領域に第１光散乱部を設ける場合、反射シート３側の半分の領域よりも小さい面積の領域に光散乱部を施すか、あるいは反射シート３側に設けられた第１光散乱部としてのシボ加工３３ｋ１よりも光の散乱度合いが低く透過率が高い光散乱部を施すことが好ましい。
【００８８】
また、レンズ３３の光入射面３３ａ〜ｂではなく、光出射面にシボ加工等の光散乱部を形成することで、光入射面から入射した光のうちレンズ３３から出射せず内部で複数回反射する光を光散乱部から出射することができ、光の取り出し効率を向上させることができる。また、レンズ３３内部で複数回反射した光は、レンズ３３内部で混色されているため、当該光を出射することで、より発光面の色ムラを抑制することが可能となる。
【００８９】
（第２の実施形態）
次に、本発明に係る第２の実施形態について図８に示すレンズ３３を入射面側から見た斜視図に基づき説明する。なお、第１の実施形態と同一の構成については、同一の符号を付し、その詳細な説明は省略する。
【００９０】
図８に示すように、レンズ３３の長手方向の両側の端面３３ｍは互いに非平行であり、光入射面側から光出射面側へ向かうほどレンズ３３の長手方向の幅が広くなる平面形状になっている。これにより、各レンズ３３を光源ユニット支持部２０に取り付けたときに、図５（ａ）に示したように、隣接するレンズ３３の端面３３ｍ同士が略平行に配置されるようになっている。
【００９１】
このため、レンズ３３の端面３３ｍにおける全反射面３３ｄとの間のエッジ部３３ｊ近傍の領域から出射された光が隣接するレンズ３３から出射されて平行に重なり合い、筋状の輝線となってリングカバー９に表れる虞があり外観上好ましくない。これを抑制するために、エッジ部３３ｊを含む全反射面３３ｄの両端部の一部の領域には、第２光散乱部としてのシボ加工３３ｋ２が施されている。つまりシボ加工３３ｋ２は、レンズ３３のリングカバー９側の表面である全反射面３３ｄの両端部に設けられる。なお全反射面３３ｄの両端部のシボ加工３３ｋ２は第１の実施形態にかかる光出射面のシボ加工３３ｋ１と同様の方法により形成される。また、全反射面３３ｄの両端部の光散乱部はシボ加工に限らず、エッチング、ブラスト加工等出射光を散乱させるためのその他の処理が適用可能である。
【００９２】
全反射面３３ｄの両端部のシボ加工３３ｋ２により、隣接するレンズ３３のエッジ部３３ｊ近傍から出射される光を拡散し、隣接するレンズ３３の端面３３ｍ同士が略平行に配置されることに起因してリングカバー９に投影される輝線を抑制することができる。なお、上記輝線は、センターカバー１０の遮光部１０ａにより視認されないように遮光することができるが、全反射面３３ｄの端部に形成されたシボ加工３３ｋ２により遮光部１０ａを使用せずに上記輝線を抑制でき、遮光部１０ａの遮光により必要以上に発光面の輝度が低下することを防止することが可能となる。
【００９３】
なお、本実の施形態においては、第２光散乱部としてのシボ加工３３ｋ２を全反射面３３ｄの両端部の一部の領域に設ける例について説明したが、本発明においては、第２光散乱部を全反射面３３ｄの少なくとも一部、つまりレンズ３３のリングカバー９側の表面での少なくとも一部に設けてあればよい。レンズ３３のリングカバー９側の表面からはわずかにリングカバー９に向けて出射される漏れ光があり、これにより、発光面に輝度ムラが生じる虞があるため、全反射面３３ｄの一部または全面に第２光散乱部を施すことによりこれを防止することが可能となる。
【００９４】
以上説明した、本発明の第１の実施形態に係る第１光散乱部と、第２の実施形態に係る第２光散乱部は、それぞれ単一のレンズまたは照明装置に適用することが可能であるし、同一のレンズまたは照明装置に適用して使用することも可能である。
【符号の説明】
【００９５】
１  照明装置
２  シャーシ
２ａ  本体シャーシ
３  反射シート
９  リングカバー
３０  光源ユニット
３２  光源
３３  レンズ
３３ａ〜３３ｃ  光入射面
３３ｄ  全反射面
３３ｅ  全反射面
３３ｆ〜３３ｈ  光出射面
３３ｊ  エッジ部
３３ｋ１  シボ加工
３３ｋ２  シボ加工
Ｎ１  常夜灯用の光源
Ｗ１〜Ｗ６  光源
Ｃ１〜Ｃ５  光源
Ｒ１〜Ｒ４  光源
【図１】
2014017182.tif 000003
【図２】
2014017182.tif 000004
【図３】
2014017182.tif 000005
【図４】
2014017182.tif 000006
【図５】
2014017182.tif 000007
【図６】
2014017182.tif 000008
【図７】
2014017182.tif 000009
【図８】
2014017182.tif 000010